(57)【特許請求の範囲】
【請求項１】
メインディスプレイ及び当該メインディスプレイよりも電力消費の少ない補助ディスプレイのいずれかに録画中の画像を表示させる録画用モニター装置であって、
前記録画中の画像を表示するディスプレイを特定するためのディスプレイ特定情報を入力する特定情報入力手段と、
前記録画中の画像の録画信号を受信する録画信号受信手段と、
この受信した前記録画信号から前記メインディスプレイに表示する映像信号用のビデオ信号を生成するビデオ信号生成手段と、
前記メインディスプレイよりも解像度の低い複数台の前記補助ディスプレイとを備え、
前記特定情報入力手段から入力されたディスプレイ特定情報が、前記補助ディスプレイを指定するものである場合に作動し、前記ビデオ信号生成手段で生成された前記ビデオ信号から前記補助ディスプレイに表示される録画状態を確認するための映像信号を生成して前記複数台の補助ディスプレイに出力する映像信号生成出力手段を装備したことを特徴とする録画用モニター装置。
【請求項２】
前記請求項１に記載の録画用モニター装置において、
前記特定情報入力手段により入力されたディスプレイ特定情報が前記補助ディスプレイを指定するものである場合に作動して前記メインディスプレイに供給する電力を停止制御するメインディスプレイ電力停止手段を、前記メインディスプレイに併設したことを特徴とする録画用モニター装置。
【請求項３】
請求項１又は２に記載の録画用モニター装置において、
前記映像信号生成出力手段から前記補助ディスプレイに前記映像信号を出力し始めると同時に起動し所定時間の間作動する時間計時手段を、前記映像信号生成出力手段に併設したことを特徴とする録画用モニター装置。
【請求項４】
前記請求項３記載の録画用モニター装置において、
前記時間計時手段が所定時間の経過を計時を終了した場合に当該時間計時手段の計時終了のタイミングで前記補助ディスプレイ用の電源を停止制御する補助ディスプレイ電力停止手段を、前記補助ディスプレイに併設したことを特徴とする録画用モニター装置。
【請求項５】
メインディスプレイ及び当該メインディスプレイより電力消費が少なく複数台設けられている補助ディスプレイのいずれかに録画中の画像を表示させる録画用モニター方法であって、
前記録画中の画像を表示するディスプレイを特定するディスプレイ特定情報を入力する特定情報入力工程と、
外部から受信した前記録画中の画像にかかる録画信号を取り込むと共にこの取り込んだ録画信号から前記メインディスプレイ用の映像信号を生成するためのビデオ信号を生成するビデオ信号生成工程と、
前記入力されたディスプレイ特定情報が前記録画中の画像を前記メインディスプレイよりも解像度の低い複数台の前記補助ディスプレイに表示させるものであるときには、生成した前記ビデオ信号から前記補助ディスプレイに表示される録画状態を確認するための映像信号を生成し、当該映像信号を前記複数台の補助ディスプレイに出力する映像信号生成出力工程とを備えたことを特徴とする録画用モニター方法。
【請求項６】
前記請求項５に記載の録画用モニター方法において、
入力された前記ディスプレイ特定情報が前記録画画像を前記補助ディスプレイに表示させるものである場合に機能し前記メインディスプレイに供給する電力を停止するメインディスプレイ電力停止工程を備えたことを特徴とする録画用モニター方法。
【請求項７】
前記請求項５又は６に記載の録画用モニター方法において、
前記補助ディスプレイに前記映像信号を出力し始めると同時に計時し始めて所定時間の間計時する時間計時工程と、この所定時間が経過したタイミングで前記補助ディスプレイに供給する電力を停止する補助ディスプレイ電力停止工程と、
を備えたことを特徴とする録画用モニター方法。
【発明の詳細な説明】
【技術分野】
【０００１】
本発明は、メインディスプレイまたは補助ディプレイに録画画像を表示させる録画用モニター装置及び録画用モニター方法に関する。
【背景技術】
【０００２】
近年、テレビジョン等の録画画像を予約し、その予約した録画画像をディスプレイに再生する、パーソナルコンピュータ等の録画再生装置がある（特許文献１参照）。
この特許文献１にかかる録画再生装置では、図２に示すように、主制御部（Ｓystem Ｃontroller ）６９が、入力手段（Ｕser Ｉ／Ｆ）７０を介してユーザから指定された記録・再生・同時記録再生モードに応じてドライバ７１を制御し、記録再生ヘッド６０の記録位置，再生位置を制御する。
【０００３】
また、この場合の主制御部（Ｓystem Ｃontroller ）６９は、同時再生時には、入力手段（Ｕｓｅｒ  Ｉ／Ｆ）７０を介してユーザから指定された２画面分割・再生画面・録画モニタ画面の各種表示モードに応じてポストプロセッサ（Ｐost Ｐrocess）６５を制御して表示状態をフル画面表示し又は切り替える。更に、主制御部（Ｓystem Ｃontroller ）６９は、表示モードに応じてモードを識別するアイコンやメッセージを（映像信号に多重化するために）図示しないメモリから読み出して加算回路６６に供給するＯＳＤ（Ｏn Ｓcreen Ｄisplay）を駆動制御する機能を備えている。
【特許文献１】特開２００２−１０１３９１号公報
【発明の開示】
【発明が解決しようとする課題】
【０００４】
しかしながら、上記従来例における録画再生装置では、送信されてくる録画画像と再生画面とを同一のディスプレイに表示しているので、ユーザが録画画像を長時間にわたってディスプレイに表示する場合、例えば、ユーザが録画画像を予約した後にこの録画画像の内容を常時確認する場合等にあっては、電力消費が大きいという不都合があった。
【０００５】
本発明では、上述した不都合を改善し、特に、長時間、録画画像を表示するときの電力消費を有効に抑制することが可能な録画用モニター装置及び録画用モニター方法を提供することを、その目的とする。
【課題を解決するための手段】
【０００６】
上記目的を達成するため、本発明にかかる録画用モニター装置では、メインディスプレイ及び当該メインディスプレイよりも電力消費の少ない補助ディスプレイのいずれかに録画中の画像を表示させる録画用モニター装置であって、
前記録画中の画像を表示するディスプレイを特定するためのディスプレイ特定情報を入力する特定情報入力手段と、
前記録画中の画像の録画信号を受信する録画信号受信手段と、
この受信した前記録画信号から前記メインディスプレイに表示する映像信号用のビデオ信号を生成するビデオ信号生成手段と、
前記メインディスプレイよりも解像度の低い複数台の前記補助ディスプレイとを備え、
前記特定情報入力手段から入力されたディスプレイ特定情報が、前記補助ディスプレイを指定するものである場合に作動し、前記ビデオ信号生成手段で生成された前記ビデオ信号から前記補助ディスプレイに表示される録画状態を確認するための映像信号を生成して前記複数台の補助ディスプレイに出力する映像信号生成出力手段を装備した（請求項１乃至４）。
【０００７】
このため、本発明では、録画画像を長時間表示する際には補助ディスプレイに表示するようにしたので、録画中はメインディスプレイをオフ（ＯＦＦ）とすることが可能となり、かかる点において録画画像の表示に要する電力を確実に低減させるこができ、補助ディスプレイは録画画像の状態を確認するためのものであり、従って小型化および省エネルギー化が可能であり、小型化による可搬性を大幅に改善することができ、複数装備し得るので、異なった箇所での複数チェック者による同時確認も可能となるという汎用性ある録画用モニター装置を得ることができる。
【０００８】
ここで、前述した特定情報入力手段により入力されるディスプレイ特定情報が前述した録画画像を補助ディスプレイに表示させることをその内容とする場合に作動し、前述したメインディスプレイに供給する電力を停止するメインディスプレイ電力停止手段を、前述したメインディスプレイに併設してもよい（請求項２）。
このようにすると、電力消費を確実に低減することができ、メインディスプレイの停止動作が補助ディスプレイの稼働時に連動して成されるので、かかる点において補助ディスプレイに注視して録画画像のチェックに集中することができ、無駄な電力の消費を有効に抑えることができる。
【０００９】
又、前述した映像信号生成出力手段から前記補助ディスプレイに映像信号を出力し始めると同時に作動し所定時間の間，継続して作動する時間計時手段を、前記映像信号生成出力手段に併設してもよい（請求項３）。
このようにすると、電力消費を更に確実に低減することができ、録画画像のチェックを動作開始の一定時間に集中して実行することができ、最初の段階での録画条件の設定の良否を効率良く確認することができるという利点がある。
【００１０】
更に、前述した時間計時手段が所定時間の経過を計時を終了した場合に、当該時間計時手段の計時終了のタイミングで前述した補助ディスプレイ用の電源を停止制御する補助ディスプレイ電力停止手段を、前記補助ディスプレイに併設してもよい（請求項４）。
このようにすると、録画画像のチェックを実行しつつ電力消費を更により一層確実に抑制することができるという利点がある。
【００１１】
本発明にかかる録画用モニター方法では、メインディスプレイ及び当該メインディスプレイより電力消費が少なく複数台設けられている補助ディスプレイのいずれかに録画中の画像を表示させる録画用モニター方法であって、
前記録画中の画像を表示するディスプレイを特定するディスプレイ特定情報を入力する特定情報入力工程と、
外部から受信した前記録画中の画像にかかる録画信号を取り込むと共にこの取り込んだ録画信号から前記メインディスプレイ用の映像信号を生成するためのビデオ信号を生成するビデオ信号生成工程と、
前記入力されたディスプレイ特定情報が前記録画中の画像を前記メインディスプレイよりも解像度の低い複数台の前記補助ディスプレイに表示させるものであるときには、生成した前記ビデオ信号から前記補助ディスプレイに表示される録画状態を確認するための映像信号を生成し、当該映像信号を前記複数台の補助ディスプレイに出力する映像信号生成出力工程とを備えている（請求項５乃至７）。
【００１２】
このため、メインディスプレイに依存することなく、特定された電力消費の少ない補助ディスプレイで録画中の画像がモニターされるので、消費電力を有効に低減した状態で画像モニターを実行することができる。
【００１３】
ここで、入力された前記ディスプレイ特定情報が前記録画画像を補助ディスプレイに表示させるものである場合に機能し前記メインディスプレイに供給する電力を停止するメインディスプレイ電力停止工程を備えてもよい（請求項６）。又、前述した補助ディスプレイに前記映像信号を出力し始めると同時に計時し始めて所定時間の間計時する時間計時工程と、この所定時間が経過したタイミングで前記補助ディスプレイに供給する電力を停止する補助ディスプレイ電力停止工程とを備えた構成としてもよい（請求項７）。
このようにすると、消費電力を更に効率良く且つ確実に低減した状態で画像モニターを実行することができる。
【発明の効果】
【００１４】
上述したように、本発明によれば、長時間，録画画像を表示するときの電力消費を補助ディスプレイの使用によって確実に抑制することができ、録画画像の表示の開始と共にメインディスプレイからの切り替えも自在になし得るので、オペレータは録画画像のチェックに専念することができ、時間計時手段を装備することにより複数の録画画像に対しても電力消費を抑制しつつ録画状態を迅速にチェックし得るという従来にない優れた録画用モニター装置及び録画用モニター方法を提供することができる。
【発明を実施するための最良の形態】
【００１５】
次に、本発明を実施するための最良の形態を、図面に基づいて詳細に説明する。
（全体の構成）
図１において、録画用モニター装置１は、メインディスプレイ１８及び当該メインディスプレイ１８よりも電力消費の少ない補助ディスプレイ２７のいずれかに録画画像を表示させるもので、前述した録画画像を表示するディスプレイ１８を特定するためのディスプレイ特定情報（ディスプレイ選択情報）を入力する特定情報入力手段としての入力回路２４と、録画画像の録画信号を受信する録画信号受信手段としてのＴＶチューナ１１と、この受信した録画信号から前述したメインディスプレイ１８に表示する映像信号用のビデオ信号を生成するビデオ信号生成手段としてのＮＴＳＣデコーダ１３とを備えている。このＮＴＳＣデコーダ１３の入力段には前述したＴＶチューナ１１に代えて予め収録された映像を出力することが可能なビデオデッキ１２が併設されている。
【００１６】
更に、この録画用モニター装置では、前述した入力回路（特定情報入力手段）２４により入力されたディスプレイ特定情報が、前述した録画画像を補助ディスプレイ２７に表示させるものである場合（補助ディスプレイ２７を指定した場合）に作動して前述したＮＴＳＣデコーダ（ビデオ信号生成手段）１３により生成されたビデオ信号から前述した補助ディスプレイ２７に表示される映像信号を生成し当該映像信号を当該補助ディスプレイ２７に出力する映像信号生成出力手段としての補助表示変換回路１９を装備している。
【００１７】
又、前述したメインディスプレイ１８には、当該メインディスプレイ１８に供給する電力を必要に応じて停止するメインディスプレイ電力停止手段としてのスイッチ機構２０が併設されている。このスイッチ機構（メインディスプレイ電力停止手段）２０は、前述した入力回路（特定情報入力手段）２４により入力されるディスプレイ特定情報が前述した録画画像を補助ディスプレイに表示させることをその内容とするものである場合に作動して前述したメインディスプレイ１８に供給する電力を停止する機能を備えている。
【００１８】
更に、前述した補助表示変換回路（映像信号生成出力手段）１９から補助ディスプレイ２７に映像信号を出力し始めると同時に作動し所定時間の間，継続して作動する時間計時手段としてのタイマ２６が、前述した補助表示変換回路１９に併設されている。
又、前述したタイマ（時間計時手段）２６が所定時間の経過を計時を終了した場合に、当該タイマ２６の計時終了のタイミングで前述した補助ディスプレイ２７用の電源を停止制御する補助ディスプレイ電力停止手段としてのスイッチ機構２１が、補助ディスプレイ２７に併設されている。
【００１９】
以下、これを更に詳述する。
録画用モニター装置１は、パソコンの有する情報処理機能を備え、かつ、テレビジョン画像の録画画像をディスプレイに表示させる装置であって、図１に示すように、ＴＶチューナ１１と、ビデオデッキ１２と、ＮＴＥＧエンコーダ１３と、ＭＰＥＧエンコーダ１４と、ハードディスク１５と、ＭＰＥＧデコーダ１６と、表示変換回路１７と、メインディスプレイ１８と、補助表示変換回路１９と、スイッチ機構２０，２１，２２と、電源回路２３と、入力回路２４と、切換え回路２５と、タイマ２６とを備えている。
【００２０】
ＴＶチューナ（録画信号受信手段）１１は、テレビジョン画像の録画画像信号中から所定の周波数のアナログ信号でなる録画画像信号を選択的に受信する機能を備えている。ビデオデッキ１２は、メインディスプレイ１８に再生される録画画像信号を出力する機能を備えている。ＮＴＳＣデコーダ（デジタルビデオ信号生成手段）１３は、ＴＶチューナ１１が受信した録画画像信号から、メインディスプレイ１８に表示される映像信号を生成するためのデジタルビデオ信号（ビデオ信号）を生成する。
【００２１】
ＭＰＥＧエンコーダ１４は、ＩＳＯ規格（Ｉnternational  Ｏrgaization for Standardization) により規定された符号化方式を用い、デジタルビデオ信号を圧縮符号化した符号化信号を出力する。ハードディスク１５は、符号化信号を記憶する。ＭＰＥＧデコーダ１６は、ハードディスク１５から出力された符号化信号を復号化する。表示変換回路１９は、復号化した信号からメインディスプレイ１８に録画画像を表示させるための映像信号を生成する。
【００２２】
メインディスプレイ１８は、例えば１０２４×６８の高い解像度を有している液晶表示装置からなり、入力された映像信号を基にして、テレビジョンの録画画像を表示する。補助表示変換回路（映像信号生成出力手段）１９は、ＮＴＳＣデコーダ１３により出力されたデジタルビデオ信号から、補助ディスプレイ２が有する表示方式、例えば、解像度、表示面積（総画素数）等からなる表示方式に従った映像信号を生成し、この映像信号を補助ディスプレイ２７に出力する。
【００２３】
スイッチ機構（メインディスプレイ電力停止手段）２０は、電源回路２３からメインディスプレイ１８に供給する電力をオン（ＯＮ）／オフ（ＯＦＦ）制御する。スイッチ機構２１は、補助表示変換回路１９に入力されるＮＴＳＣデコーダ１３からのデジタル信号を遮断したり、通したりする。スイッチ機構（補助ディスプレイ電力停止手段）２２は、電源回路２３から補助ディスプレイ２７に供給する電力をオンにしたりオフにする。
【００２４】
電源回路（電力供給手段）２３は、メインディスプレイ１８、補助ディスプレイ２７等に電力を供給する。入力回路（特定情報入力手段）２４は、録画画像を表示するディスプレイを特定する特定情報を入力する。また、入力回路２４は、補助ディスク２７に供給する電力する時間が入力され、この時間をタイマ２６に出力する。
【００２５】
切換え回路２５は、スイッチ機構２０，２１，２２の開閉を制御する。すなわち、切換え回路２５は、録画画像を表示するディスプレイをメインディスプレイ１８に特定する特定情報が入力されると、電源回路２３からの電力をメインディスプレイ１８に供給させるＯＮ信号をスイッチ機構２０に出力し、ＮＴＳＣデコーダ１３から出力されたデジタルビデオ信号を補助表示変換回路１９に出力することを遮断するＯＦＦ信号をスイッチ機構２１に出力し、また、電源回路２３から補助ディスプレイ２７に供給する電力を遮断させるＯＦＦ信号をスイッチ機構２２に出力する機能を備えている。
【００２６】
一方、切換え回路２５は、録画画像を表示するディスプレイを補助ディスプレイ２７に特定する特定情報が入力されると、電源回路２３からメインディスプレイ１８に供給する電力を遮断するＯＦＦ信号をスイッチ機構２０に出力し、ＮＴＳＣデコーダ１３から出力されたデジタルビデオ信号を補助表示変換回路１９に出力させるＯＮ信号をスイッチ機構２１に出力し、また、電源回路２３から補助ディスプレイ２７に供給させるＯＮ信号をスイッチ機構２２に出力する機能を備えている。
更に、この切換え回路２５は、タイマ２６から後述する所定時間が経過した旨の信号が入力されると、補助ディスプレイ２７に出力される電源回路からの電力を遮断させる信号をスイッチ機構２２に出力する機能を備えている。
【００２７】
タイマ（時間計時手段）２６は、入力回路２４から入力された時間を計時する設定時間として登録する。また、このタイマ２６は、補助表示変換回路１９により補助ディスプレイに対して記映像信号を出力し始めると同時に計時し始め、予め設定されている時間の経過を計時する。補助ディスプレイ２７は、メインディスプレイ１８より電力消費の少ない液晶表示装置からなる。電力消費を抑えるために、表示画面をメインディスプレイ１８より小さくし、かつ、解像度をメインディスプレイ１８より低く抑えられている。例えば、３２０×２４０の解像度を有している。
【００２８】
（本実施形態の動作）
次に、本実施形態における録画用モニター装置の動作例を、本発明にかかる録画用モニター方法と共に説明する。
【００２９】
〔  １：特定情報（選択情報）が補助ディスプレイを特定している場合  〕
入力回路２４を介してユーザから録画画像を表示するためのディスプレイを補助ディスプレイに特定する特定情報が入力される（特定情報入力工程）と、この特定情報を切換え回路２５に出力する。切換え回路２５は、この特定情報に基づいて作動し電源回路２３からメインディスプレイ１８に供給する電力を遮断するＯＦＦ信号をスイッチ機構２０に出力し、ＮＴＳＣデコーダ１３から出力されるデジタルビデオ信号を補助表示変換回路１９に出力させるＯＮ信号をスイッチ機構２１に出力する。又、補助ディスプレイ２７の表示動作に先だって電源回路２３から補助ディスプレイ２７に電力供給させるためのＯＮ信号をスイッチ機構２２に出力する。
【００３０】
一方、ＴＶチューナ１１で受信される録画信号（アナログ信号）又はビデオデッキ１２からの録画信号（アナログ信号）Ｐ1 が出力されると、ＮＴＳＣデコーダ１３でビデオ信号（デジタルビデオ信号）Ｐ2 に変換され（ビデオ信号生成工程）、続いてＭＰＥＧエンコーダ１４によってエンコードされてデジタル録画データＰ3 がつくられる。同時に、ＮＴＳＣデコーダ１３からのデジタルビデオ信号Ｐ2 を補助表示変換回路１９にて補助ディスプレイ２７で表示可能な映像信号Ｐ4 に変換し、補助ディスプレイ２７にＭＰＥＧエンコーダ１４にてエンコードしている映像と同じ映像を表示させるように機能する（映像信号生成出力工程）。
【００３１】
前述したスイッチ機構２０は、切換え回路２５からＯＦＦ信号が入力されると、電源回路２３からメインディスプレイ１８に供給している電力を遮断する（メインディスプレイ電力停止工程）。又、スイッチ機構２１は、切換え回路２５からＯＮ信号が入力されると、ＮＴＳＣデコーダ１３から出力されたデジタルビデオ信号を補助表示変換回路１９に出力する。更に、スイッチ機構２２は、切換え回路２５からＯＮ信号が入力されると、電源回路２３から補助ディスプレイ２７電力を供給する。
【００３２】
メインディスプレイ１８は、電源回路２３から供給されている電力が遮断されると、表示処理を終了する。補助表示変換回路１９は、ＮＴＳＣデコーダ１３から出力されたデジタルビデオ信号Ｐ2 が入力されると、前述したように、補助ディスプレイ２７に録画画像として表示する映像信号Ｐ4 を生成し、この映像信号Ｐ4 を補助でディスプレイ２７に出力する。
【００３３】
タイマ２６は、補助表示変換回路１９により補助ディスプレイ２７に対して記映像信号を出力し始めると、同時に時間を計時し始め、予め設定されている時間を計時する（時間計時工程）。補助ディスプレイ２７は、補助表示変換回路１９からの映像信号を入力し、録画画像を表示する。
【００３４】
その後、タイマ２６は、所定時間が経過すると、その旨を知らせる信号を切換え回路２５に出力する。切換え回路２５は、タイマ２６から所定時間が経過した旨の信号が入力されると、スイッチ機構２２にＯＦＦ信号、すなわち電源回路２３から補助ディスプレイ２７に供給する電力を遮断する信号を出力する。すると、スイッチ機構２２は、電源回路２３から補助ディプレイ２７に供給する電力を遮断する（補助ディプレイ電力停止工程）。補助ディスプレイ２７は、電力が遮断されると、表示処理を終了する。
【００３５】
〔  ２：特定情報（選択情報）がメインディスプレイを特定している場合  〕
入力回路２４は、ユーザから、録画画像を表示するディスプレイをメインディスプレイ１８に特定する特定情報が入力されると、この特定情報を切換え回路２５に出力する。すると、切換え回路２５は、この特定情報に基づき、電源回路２３からメインディスプレイ１８に電力を供給させるＯＮ信号をスイッチ機構２０に出力し、また、ＮＴＳＣデコーダ１３から補助表示変換回路１９に出力されるデジタルビデオ信号を遮断させるＯＦＦ信号をスイッチ機構２１に出力し、更に、電源回路２３から補助ディスプレイ２７に供給される電力を遮断させるＯＦＦ信号をスイッチ機構２２に出力する。
【００３６】
前述したスイッチ機構２０は、切換え回路２５からＯＮ信号が入力されると、電源回路２３からの電力をメインディスプレイ１８に供給する。スイッチ機構２１は、切換え回路２５からＯＦＦ信号が入力されると、補助表示変換回路１９に出力するＮＴＳＣデコーダ１３からのデジタルビデオ信号を遮断する。スイッチ機構２２は、切換え回路２５からＯＦＦ信号が入力されると、電源回路２３から補助ディスプレイ２７に供給される電力を遮断する。
【００３７】
補助ディスプレイ２７は、電源回路２３から供給されている電力が遮断されると、表示処理を終了する。尚、補助表示変換回路１９は、ＮＴＳＣデコーダ１３からデジタルビデオ信号が入力されないので、映像信号を生成することがなく、また、タイマ２６は、補助表示変換回路１９から補助ディスプレイ２７に対して記映像信号を出力しないため、計時処理を行わない。
【００３８】
前述したＭＰＥＧエンコーダ１４は、ＩＳＯにより規定された符号化方式を用い、デジタルビデオ信号を圧縮符号化した符号化信号をハードディスク１５に出力する。ハードディスク１５は、符号化信号を記憶する。その後、ＭＰＥＧデコーダ１６は、ハードディスク１５に記憶されている符号化信号を読み出し、この信号を復号化し、この信号を表示変換回路１７に出力する。次に、表示変換回路７は、復号化した信号からメインディスプレイ１８に録画画像を表示させるための映像信号を生成し、メインディスプレイ１８に出力する。メインディスプレイ１８は、映像信号に基づいた録画画像を表示する。
【００３９】
上述したように、本実施形態によれば、録画画像の長時間表示に際し、例えば、ユーザが録画画像を予約したのちこの録画画像を確認する場合には、メインディスプレイ１８に供給する電力をＯＦＦにし、録画画像を電力消費の少ない補助ディスプレイ２７に表示するようにしたので、録画画像の表示に要する電力を有効に抑制することができる。
又、上述した構成によれば、タイマ２６により計時された時間が所定時間を経過すると、補助ディスプレイ２７に供給する電力を停止するので、無駄な電力の消費を抑えることができる。尚、上述した実施形態では、メインディスプレイ１８を内蔵する構成のものであるが、メインディスプレイを分離したものであってもよい。
【００４０】
更に、上述した実施形態では、１チャネルのみの録画が可能なものであるが、他チャネルの録画が可能な録画装置の場合には、録画画像を選択するためのセパレートスイッチを、チャネル数だけ有するＮＴＳＣデコーダ１３と、補助表示変換回路１９との間に設けることにより、ユーザが選択した録画画像を補助ディスプレイ２７に表示させることができる。
【００４１】
このように、上述した実施実施形態にあっては、録画画像を長時間表示する際には補助ディスプレイ２７に表示するようにしたので、録画中はメインディスプレイ１８をオフ（ＯＦＦ）とすることが可能となり、かかる点において録画画像の表示に要する電力を確実に低減させるこができ、補助ディスプレイ２７は録画画像の状態を確認するためのものであり、従って小型化および省エネルギー化が可能であり、小型化による可搬性を大幅に改善することができ、複数装備し得るので、異なった箇所での複数チェック者による同時確認も可能となるという汎用性ある録画用モニター装置を得ることができる。
このため、消費電力を更に効率良く且つ確実に低減した状態で画像モニターを実行することができる。
【００４２】
更に、上記実施形態では、単に電力消費を低減することができるばかりでなく、メインディスプレイ１８の停止動作を補助ディスプレイ２７の稼働に連動して実行されるので、かかる点において無駄な電力の消費を有効に抑えつつ補助ディスプレイに注視して録画画像のチェックに集中することができる。又、タイマ２６を装備することにより、電力消費を更に確実に抑制しつつ、録画画像のチェックを動作開始の一定時間に集中して実行することができ、最初の段階での録画条件の設定の良否を効率良く確認することができるという利点がある。
【図面の簡単な説明】
【００４３】
【図１】本発明の一実施形態を示すブロック図である。
【図２】従来例を示すブロック図である。
【符号の説明】
【００４４】
１  録画用モニター装置
１１  ＴＶチューナ（録画信号受信手段）
１２  ビデオデッキ
１３  ＮＴＳＣデコーダ（ビデオ信号生成手段）
１４  ＭＰＥＧエンコーダ
１５  ハードディスク
１６  ＭＰＥＧデコーダ
１７  表示変換回路
１８  メインディスプレイ
１９  補助表示変換回路（映像信号生成出力手段）
２０  スイッチ機構（メインディスプレイ電力停止手段）
２１  スイッチ機構
２１  スイッチ機構（補助ディスプレイ電力停止手段）
２３  電源回路（電力供給手段）
２４  入力回路（特定情報入力手段）
２５  切換え回路
２６  タイマ（時間計時手段）
２７  補助ディスプレイ
【図１】
0004593433.tif 000002
【図２】
0004593433.tif 000003